(57)【要約】【課題】棒状部材を仮設足場に架設する際の取り付け位置の選択の利便性や自由度を高めるとともに、仮設足場の支柱に無理なく架設することができ、部材の軽量化を図ってその設置や解体の取り扱い易さを改善できる棒状部材の架設構造を提供する。【解決手段】第１支柱１１と第２支柱２１の間に架設される棒状部材３０は、棒状本体４０、上側取付部５０、下側取付部６０を備え、上側取付部は、第１支柱の支柱側面への当接部、当接部の支柱の左右いずれか側に形成された棒状本体との上側連結部、当接部の上側連結部と支柱の左右反対側となる他側に形成され上部くさび受け部材１５の左右いずれか一側のくさび受け部に挿入される上部くさび部材を有し、下側取付部は、棒状本体との下側連結部、上部くさび部材が挿入されたくさび受け部と左右反対側となる他側のくさび受け部に挿入される下部くさび部材を有する。【選択図】図１
2011122401.tif 000002
【特許請求の範囲】
【請求項１】
支柱の左右両側にくさび受け部（１６，１７）を有する上部くさび受け部材（１５）が固設された第１支柱（１１）と前記第１支柱と並設され同じく支柱の左右両側にくさび受け部（２６，２７）を有する下部くさび受け部材（２５）が固設された第２支柱（２１）の前記上部くさび受け部材及び下部くさび受け部材の間の上下斜め方向に棒状部材（３０）を架設する構造であって、
前記棒状部材は、棒状本体（４０）と、前記棒状本体の上側に形成された上側取付部（５０）と、前記棒状本体の下側に形成された下側取付部（６０）とを備えていて、
前記上側取付部は、前記第１支柱の支柱側面への当接部（５１）と、前記当接部の支柱の左右いずれか側に形成された前記棒状本体との上側連結部（５５）と、前記当接部の前記上側連結部と支柱の左右反対側となる他側に形成され前記上部くさび受け部材の左右いずれか一側のくさび受け部に挿入される上部くさび部材（５８）とを有するとともに、
前記下側取付部は、前記棒状本体との下側連結部（６５）と、前記上部くさび部材が挿入されたくさび受け部と左右反対側となる他側のくさび受け部に挿入される下部くさび部材（６８）とを有する
ことを特徴とする棒状部材の架設構造。
【請求項２】
前記棒状部材が仮設階段用手すりである請求項１に記載の棒状部材の架設構造。
【請求項３】
前記上部くさび受け部材及び下部くさび受け部材が十字状にくさび受け部を有する請求項１又は２に記載の棒状部材の架設構造。
【請求項４】
前記上側取付部の当接部が支柱側面に相応する半円周面形状に形成された請求項１ないし３のいずれか１項に記載の棒状部材の架設構造。
【請求項５】
前記上側取付部の当接部が支柱の棒状部材側の側面に当接する請求項１ないし４のいずれか１項に記載の棒状部材の架設構造。
【請求項６】
前記下側取付部において、前記下側連結部は前記下部くさび受け部材のくさび受け部を収容する水平方向に形成された開口部（６３）を有しているとともに、前記下部くさび部材は前記下側連結部内に上下動可能に配置され、
前記下側取付部を前記下部くさび受け部材に取り付けるに際し、前記開口部内に前記下部くさび受け部材のくさび受け部を収容した後に該くさび受け部に対して前記下部くさび部材の挿入くさび部（７１）を挿入する請求項１ないし５のいずれか１項に記載の棒状部材の架設構造。
【請求項７】
前記下部くさび部材が、該下部くさび部材の上部に上部抜け止め部を設けるとともに、該下部くさび部材の下部に下部抜け止め部を設けた長脚部を備えてなる請求項６に記載の棒状部材の架設構造。
【請求項８】
前記下部くさび部材が、前記挿入くさび部を前記下部くさび受け部材のくさび受け部に挿入しない位置で前記下側連結部に保持するくさび保持部を備えている請求項６又は７に記載の棒状部材の架設構造。
【発明の詳細な説明】
【技術分野】
【０００１】
本発明は、棒状部材の架設構造に関し、特に支柱の間に簡単に架設することができる架設構造を備えた棒状部材に関する。
【背景技術】
【０００２】
建築現場等に構築される仮設足場は、支柱と横柱（横架材、腕木、横桟等とも称される）との組み合わせからなる枠組みに足場板が設置されて組み立てられる。足場板は主に横架材上に組み付けられ、仮設足場は出来上がる。このような仮設足場は高所作業を伴うことから、足場の安定性及び安全性が十分に確保される。
【０００３】
仮設足場を組み立てる際、垂直方向に立設された支柱同士の安定性を高めるため、支柱間の水平方向や斜め方向に棒状部材を用いた筋交い（斜行材、斜材等）が架設される（例えば、特許文献１等参照）。仮設足場に仮設階段を取り付ける場合、現状、階段の安全性の観点から前記の斜め方向の筋交いが、仮設足場に架設される仮設階段用の手すりとしても利用されることが多い。斜め方向の筋交いを足場に仮設される階段の傾斜に対応させているものの、必ずしも仮設階段専用の手すりではないため、階段と手すりとの位置は対応するものとならないことがある。
【０００４】
最近では仮設足場の支柱と筋交いとを取り付けるための部材として、従来のホルダに加えてフランジ（あるいは鍔）と称される部材が用いられる（例えば、特許文献２等参照）。特許文献２の図示からよくわかるように、フランジを用いて各種の筋交いを架設する場合、フランジ同士の孔（穴部）に、筋交いの端部に備えられた接続部材の係止片（くさび）が挿入される。通常、フランジを用いて筋交いを支柱間に架設する場合、一側の支柱のフランジの孔及び向き合う他側の支柱のフランジの孔を利用して筋交いは接続されて固定される。すなわち、並設された支柱間をつなぐ垂直平面上に位置するフランジの孔が用いられる。
【０００５】
ところが、前記の配置にあるフランジの孔は足場板や横方向の筋交い等の接続、固定に優先的に使用されることが多い。従って、手すりの用途等の斜め方向の筋交いを取り付けようとすると、あえて筋交いの取付位置をずらすことにより、筋交いを所望の位置と異なる位置のフランジに架設せざるを得なかった。これが架設足場における階段に手すりの位置を合わせにくくする原因である。
【０００６】
加えて、特許文献２に開示の筋交いにあっては、水平方向の筋交いと斜め方向の筋交いの両方を片方の末端で接続部材を介して回動可能に連結する構造である。そのため、筋交い自体の構造が複雑になり同時に重量も増す。作業性の観点から、部材の軽量化、取り扱い易さの改善も急務である。
【０００７】
これらの要因から、仮設階段の手すり等をはじめとする各種の棒状部材を仮設足場に架設する際の取り付け位置の選択の利便性や自由度を高めるとともに、仮設足場の支柱に無理なく架設することができ、部材の軽量化、しかも設置や解体の簡便な取り扱い易さの改善できる棒状部材の架設構造が求められるに至った。
【先行技術文献】
【特許文献】
【０００８】
【特許文献１】特開２００４−６８４３５号公報
【特許文献２】特開２００２−３１７５５２号公報
【発明の概要】
【発明が解決しようとする課題】
【０００９】
本発明は、上記状況に鑑み提案されたものであり、棒状部材を仮設足場に架設する際の取り付け位置の選択の利便性や自由度を高めるとともに、架設足場の支柱に無理なく架設することができ、部材の軽量化を図ってその設置や解体の取り扱い易さを改善できる棒状部材の架設構造を提供する。
【課題を解決するための手段】
【００１０】
すなわち、請求項１の発明は、支柱の左右両側にくさび受け部を有する上部くさび受け部材が固設された第１支柱と前記第１支柱と並設され同じく支柱の左右両側にくさび受け部を有する下部くさび受け部材が固設された第２支柱の前記上部くさび受け部材及び下部くさび受け部材の間の上下斜め方向に棒状部材を架設する構造であって、前記棒状部材は、棒状本体と、前記棒状本体の上側に形成された上側取付部と、前記棒状本体の下側に形成された下側取付部とを備えていて、前記上側取付部は、前記第１支柱の支柱側面への当接部と、前記当接部の支柱の左右いずれか側に形成された前記棒状本体との上側連結部と、前記当接部の前記上側連結部と支柱の左右反対側となる他側に形成され前記上部くさび受け部材の左右いずれか一側のくさび受け部に挿入される上部くさび部材とを有するとともに、前記下側取付部は、前記棒状本体との下側連結部と、前記上部くさび部材が挿入されたくさび受け部と左右反対側となる他側のくさび受け部に挿入される下部くさび部材とを有することを特徴とする棒状部材の架設構造に係る。
【００１１】
請求項２の発明は、前記棒状部材が仮設階段用手すりである請求項１に記載の棒状部材の架設構造に係る。
【００１２】
請求項３の発明は、前記上部くさび受け部材及び下部くさび受け部材が十字状にくさび受け部を有する請求項１又は２に記載の棒状部材の架設構造に係る。
【００１３】
請求項４の発明は、前記上側取付部の当接部が支柱側面に相応する半円周面形状に形成された請求項１ないし３のいずれか１項に記載の棒状部材の架設構造に係る。
【００１４】
請求項５の発明は、前記上側取付部の当接部が支柱の棒状部材側の側面に当接する請求項１ないし４のいずれか１項に記載の棒状部材の架設構造に係る。
【００１５】
請求項６の発明は、前記下側取付部において、前記下側連結部は前記下部くさび受け部材のくさび受け部を収容する水平方向に形成された開口部を有しているとともに、前記下部くさび部材は前記下側連結部内に上下動可能に配置され、前記下側取付部を前記下部くさび受け部材に取り付けるに際し、前記開口部内に前記下部くさび受け部材のくさび受け部を収容した後に該くさび受け部に対して前記下部くさび部材の挿入くさび部を挿入する請求項１ないし５のいずれか１項に記載の棒状部材の架設構造に係る。
【００１６】
請求項７の発明は、前記下部くさび部材が、該下部くさび部材の上部に上部抜け止め部を設けるとともに、該下部くさび部材の下部に下部抜け止め部を設けた長脚部を備えてなる請求項６に記載の棒状部材の架設構造に係る。
【００１７】
請求項８の発明は、前記下部くさび部材が、前記挿入くさび部を前記下部くさび受け部材のくさび受け部に挿入しない位置で前記下側連結部に保持するくさび保持部を備えている請求項６又は７に記載の棒状部材の架設構造に係る。
【発明の効果】
【００１８】
請求項１の発明に係る棒状部材の架設構造によると、支柱の左右両側にくさび受け部を有する上部くさび受け部材が固設された第１支柱と前記第１支柱と並設され同じく支柱の左右両側にくさび受け部を有する下部くさび受け部材が固設された第２支柱の前記上部くさび受け部材及び下部くさび受け部材の間の上下斜め方向に棒状部材を架設する構造であって、前記棒状部材は、棒状本体と、前記棒状本体の上側に形成された上側取付部と、前記棒状本体の下側に形成された下側取付部とを備えていて、前記上側取付部は、前記第１支柱の支柱側面への当接部と、前記当接部の支柱の左右いずれか側に形成された前記棒状本体との上側連結部と、前記当接部の前記上側連結部と支柱の左右反対側となる他側に形成され前記上部くさび受け部材の左右いずれか一側のくさび受け部に挿入される上部くさび部材とを有するとともに、前記下側取付部は、前記棒状本体との下側連結部と、前記上部くさび部材が挿入されたくさび受け部と左右反対側となる他側のくさび受け部に挿入される下部くさび部材とを有するため、棒状部材を仮設足場に架設する際の当該棒状部材の取り付け位置の選択の利便性や自由度は高まり、仮設足場の支柱に無理なく架設することができる。そして、部材の軽量化も可能であり、棒状部材の仮設足場への設置や解体の取り扱い易さを改善できる棒状部材の架設構造が実現できる。
【００１９】
請求項２の発明に係る棒状部材の架設構造によると、請求項１の発明において、前記棒状部材が仮設階段用手すりであるため、仮設階段用手すりの仮設足場への架設を簡素化することができる。
【００２０】
請求項３の発明に係る棒状部材の架設構造によると、請求項１又は２の発明において、前記上部くさび受け部材及び下部くさび受け部材が十字状にくさび受け部を有するため、上下の両くさび受け部材の構造は簡素となる。また、対称形としているため荷重の加わり方が均一となり、くさび受け部材を支柱へ固定する際の強度も確保できる。
【００２１】
請求項４の発明に係る棒状部材の架設構造によると、請求項１ないし３のいずれか１項の発明において、前記上側取付部の当接部が支柱側面に相応する半円周面形状に形成されたため、当接部と支柱との被着面積は増加し、棒状部材と支柱との架設を安定化することができる。
【００２２】
請求項５の発明に係る棒状部材の架設構造によると、請求項１ないし４のいずれか１項の発明において、前記上側取付部の当接部が支柱の棒状部材側の側面に当接するため、第１支柱とこれに並設する第２支柱のいずれの支柱間よりも必ず左右いずれかの外方となる位置に棒状本体を配置することができる。そこで、並設された支柱同士の間を棒状本体が遮ることはなくなる。
【００２３】
請求項６の発明に係る棒状部材の架設構造によると、請求項１ないし５のいずれか１項の発明において、前記下側取付部において、前記下側連結部は前記下部くさび受け部材のくさび受け部を収容する水平方向に形成された開口部を有しているとともに、前記下部くさび部材は前記下側連結部内に上下動可能に配置され、前記下側取付部を前記下部くさび受け部材に取り付けるに際し、前記開口部内に前記下部くさび受け部材のくさび受け部を収容した後に該くさび受け部に対して前記下部くさび部材の挿入くさび部を挿入するため、支柱のくさび受け部材との接続、固定作業は容易になり、現場における作業も簡単になる。
【００２４】
請求項７の発明に係る棒状部材の架設構造によると、請求項６の発明において、前記下部くさび部材が、該下部くさび部材の上部に上部抜け止め部を設けるとともに、該下部くさび部材の下部に下部抜け止め部を設けた長脚部を備えてなるため、常時、下部くさび部材の下側連結部内の保持は実現できる。下部くさび部材を持ち運んだり探したりする手間はなくなり、下部くさび部材の紛失のおそれも少なくなる。
【００２５】
請求項８の発明に係る棒状部材の架設構造によると、請求項６又は７の発明において、前記下部くさび部材が、前記挿入くさび部を前記下部くさび受け部材のくさび受け部に挿入しない位置で前記下側連結部に保持するくさび保持部を備えているため、くさび仮置き部にくさび保持部を引っかけて下部くさび部材の仮置きが可能となる。下部くさび受け部材に下側取付部を取り付けるときの位置合わせにおいて、下部くさび部材が邪魔にならなくなる。
【図面の簡単な説明】
【００２６】
【図１】本発明の一実施例に係る棒状部材の全体正面図である。
【図２】くさび受け部材が固設された支柱の部分斜視図である。
【図３】上側取付部と支柱の架設状態を示す斜視図である。
【図４】上側取付部と支柱の架設状態を示す上面図である。
【図５】下側取付部と支柱の架設状態を示す斜視図である。
【図６】下側取付部と支柱の架設状態を示す上面図である。
【図７】下側くさび部材を挿入前の下側取付部の側面図である。
【図８】下側くさび部材を挿入後の下側取付部の側面図である。
【図９】他の実施例に係る棒状部材の上側取付部の部分斜視図である。
【図１０】図９の上面図である。
【図１１】さらに他の実施例に係る棒状部材の上面図である。
【発明を実施するための形態】
【００２７】
図１の全体正面図は、本発明の棒状部材の架設構造の架設状況を表す。第１実施例として図示する棒状部材３０は、請求項２の発明に規定するように、仮設階段１とともに架設足場の支柱に架設される架設階段用手すりである。これは斜め方向の筋交い（斜行材）の一種といえる。以降、架設階段用手すりを棒状部材の一例として説明する。図示の仮設足場に用いる第１支柱１１には上部くさび受け部材１５（第１くさび受け部材）が固設される。第１支柱１１と並設される第２支柱２１にも下部くさび受け部材２５（第２くさび受け部材）が固設される。
【００２８】
棒状部材３０には、請求項１の発明に規定するように、棒状本体４０と、同棒状本体４０の上側（一側）に形成された上側取付部５０（第１取付部）と、同棒状本体４０の下側（他側）に形成された下側取付部６０（第２取付部）が備えられる。棒状部材３０は、上側取付部５０を介して第１支柱１１の上部くさび受け部材１５に接続（取り付け）され、下側取付部６０を介して第２支柱２１の下部くさび受け部材２５に接続（取り付け）される。そして、棒状部材３０は、上部くさび受け部材１５と下部くさび受け部材２５の間に上下斜め方向を成して架設される。
【００２９】
図１等から明らかなように、上部くさび受け部材１５に他の棒状部材の下側取付部が接続（取り付け）され、また、下部くさび受け部材２５に他の棒状部材の上側取付部が接続（取り付け）される。従って、上部くさび受け部材及び下部くさび受け部材を通じて連続して棒状部材は支柱間に架設される。図中、符号２は支柱に設けられた横柱（横架材、腕木、横桟等と称される。）、３は仮設階段の踏み板である。
【００３０】
実施例の第１支柱１１及び第２支柱２１、並びに上部くさび受け部材１５及び下部くさび受け部材２５は、互いに同形状である。そこで図２の斜視図を用い双方を説明する。上部くさび受け部材１５は鍔部材１３（フランジ部材）からなり、第１支柱１１に溶接等により固設される。上部くさび受け部材１５は第１支柱１１の左右両側にくさび受け部を有し、上部左くさび受け部１６、上部右くさび受け部１７となる。図示の左右くさび受け部１６，１７は鍔部材１３に形成された穴であり、鍔縁部１４により囲まれる。符号１８は上部前くさび受け部である（後出の図４参照）。
【００３１】
同様に、下部くさび受け部材２５も鍔部材２３（フランジ部材）からなり、第２支柱２１に溶接等により固設される。下部くさび受け部材２５も第２支柱２１の左右両側にくさび受け部を有し、下部左くさび受け部２６、下部右くさび受け部２７となる。図示の左右くさび受け部２６，２７は鍔部材２３に形成された穴であり、鍔縁部２４により囲まれる。符号２９は下部後くさび受け部である（後出の図６参照）。
【００３２】
図示から把握され、請求項３の発明に規定するように、上部くさび受け部材１５及び下部くさび受け部材２５は、十字状にくさび受け部を有する形状である（後出の図４、図６参照）。くさび受け部を十字状形状とすることにより、くさび受け部材の構造は簡素化し、その製造も簡便となる。また、くさび受け部材を十字状の対称形としているため荷重の加わり方が均一となり、くさび受け部材を支柱へ固定する際の強度も確保できる。
【００３３】
図３及び図４は、前出の図１の上部くさび受け部材１５に上側取付部５０が接続（取り付け）されている状態を拡大して示す。上側取付部５０は、第１支柱１１の支柱側面１１ｓへ当接する当接部５１と、当接部５１の左右いずれか側（一側）に形成され棒状本体４０と連結する上側連結部５５と、上側連結部５５が当接部５１に連結されている側の左右反対側となる当接部５１の他側に形成された上部くさび部材５８を有してなる。上側連結部５５、上部くさび部材５８は、当接部５１と一体の部材として形成してもよく、あるいは、溶接、ボルト締め等により個々の部材を組み合わせることができる。
【００３４】
通常、支柱は実施例の図示のように円筒形である。そこで、請求項４の発明に規定するように、上側取付部５０の当接部５１は、支柱側面１１ｓの形状に相応する半円周面形状５１ｓに形成される（特に図４参照）。当接部５１が半円周面形状となることにより当接部と支柱との被着面積は増加する。そして、棒状部材と支柱との架設は安定化する。
【００３５】
また、第１実施例では、当接部５１の半円周面形状５１ｓの円弧状に凸となる向きは、上側取付部５０から棒状本体４０が伸びる側としている。この場合、棒状本体４０に上方から押し下げる力が作用した際に、当接部５１から第１支柱１１の支柱側面１１ｓを押す力となり、当接部５１と第１支柱１１との密着が強化される。加えて、第１実施例の当接部５１の向きの場合、第１支柱への上側取付部の取り付けは容易である。
【００３６】
上側取付部５０は、請求項５の発明に規定するように、上側取付部５０の当接部５１は第１支柱１１の棒状部材３０（棒状本体４０）側の側面に当接している。図３及び図４に示す当接部５１と上側連結部５５の連結の位置より、上側連結部５５は当接部５１の端部の左右方向に張り出すようにして設けられている。第１支柱１１と前記の第２支柱２１を並設した際に、両支柱間よりも必ず左右いずれかの外方となる位置に棒状本体４０を配置することができる。そこで、並設された支柱同士の間を棒状本体４０が横切るようにして遮ることはなくなる。
【００３７】
上部くさび部材５８は、上部くさび受け部材１５の左右いずれか一側とくさび受け部に挿入される。棒状部材３０と第１支柱１１との架設は、上部くさび部材５８と上部くさび受け部材１５のくさび受け部の挿入とともに、当接部５１と支柱１１との当接による。よって、架設は簡単となり、かつ安定する。
【００３８】
図３及び図４から理解されるように、図示実施例の棒状部材３０の上側取付部５０の上部くさび部材５８は、第１支柱１１の上部くさび受け部材１５の上部右くさび受け部１７（紙面右側）に挿入される。この場合、上部くさび受け部材１５の上部右くさび受け部１７と反対側の上部左くさび受け部１６（紙面左側）は空く。そこで、当該空いた側の上部左くさび受け部１６に後述する下側取付部６０（図３にて破線表記）が接続される。つまり、棒状部材３０は、上下斜め方向で上下の両くさび受け部材のくさび受け部を左右互い違いにしながら架設される。上側取付部の当接部において、上側連結部及び上部くさび部材が設けられる向きを図示実施例と逆にする構成することができる。これは、仮設足場設置状況に応じて適宜である。
【００３９】
前述の上部くさび部材５８が挿入される上部くさび受け部材１５のくさび受け部（上部右くさび受け部１７）と、その反対側となる上側連結部５５の側の下のくさび受け部（上部左くさび受け部１６）の位置関係は左右対称である。しかも、棒状部材３０の架設に用いるくさび受け部の向きは、支柱の並設方向と直交する向きである。このため、図４の上部くさび受け部材１５のうち、仮設足場において使用頻度が高い支柱の並設方向となるくさび受け部を用いずに済む。そこで、他の水平方向の手すり筋交い（図示せず）等は、棒状部材３０と干渉することなく、上部前くさび受け部１８及び上部後くさび受け部１９を用いて容易に取り付けられる。
【００４０】
図５及び図６は、前出の図１の下部くさび受け部材２５に下側取付部６０が接続（取り付け）されている状態を拡大して示す。下側取付部６０は、棒状本体４０と結合している下側連結部６５と、第２支柱２１に固設されている下部くさび受け部材２５との接続に用いられる下部くさび部材６８とを有する。符号２８は下部前くさび受け部、６６はくさび仮置き部、７３は上部抜け止め部、７４は下部抜け止め部である。加えて、下部くさび部材６８は、前記の上部くさび部材５８が挿入された上部くさび受け部材１５のくさび受け部（図３及び図４の上部右くさび受け部１７）とくさび受け部の左右を反対側とする下部くさび受け部材２５の他側のくさび受け部（図５及び図６の下部左くさび受け部２６）に挿入される。
【００４１】
図示から容易に把握されるように、第２支柱２１に固設された下部くさび受け部材２５の左右両側に対称のくさび受け部（下部左くさび受け部２６、下部右くさび受け部２７）のうち、下側取付部６０（下部くさび部材６８）が下部左くさび受け部２６（紙面左側）に接続（取り付け）されるとき、左右両側あるくさび受け部の片側の下部右くさび受け部２７（紙面右側）が空く。そこで、下部右くさび受け部２７に、他の棒状部材の上側取付部５０の上部くさび部材５８が挿入される（図５にて破線表記）。図３での説明と同様に棒状部材３０は、上下斜め方向で上下の両くさび受け部材のくさび受け部を左右互い違いとなって架設される。こうして、並設されている支柱間において、棒状部材３０はくさび受け部材のくさび受け部で競合することなく、連続して架設可能である。
【００４２】
また、下側取付部材６０と下部くさび受け部材２５との接続（取り付け）においても上側取付部材５０と同様に、仮設足場において使用頻度が高い支柱の並設方向となるくさび受け部を用いずに済む。そこで、筋交い（図示せず）等は下部前くさび受け部２８及び下部後くさび受け部２９を用いて容易に取り付けられる。
【００４３】
次に、請求項６の発明に規定するように、下側連結部６５には、下部くさび受け部材２５のくさび受け部を収容する水平方向に開口された開口部６３が形成される。実施例の下側連結部６５においては、下部くさび部材６８は第１側板部６１、第２側板部６２、連結側板部６４により囲まれて当該下側連結部内に収容される。そこで、下部くさび部材６８は下側連結部６５内で上下動可能に保持される。
【００４４】
棒状部材の下端側に下側連結部及び下部くさび部材を備えることにより、支柱に設けられたくさび受け部材との接続、固定作業は容易になる。そのため、現場における作業も簡単になる。
【００４５】
続いて、図７及び図８を用い下部くさび部材６８の詳細並びに下部くさび部材６８と下部くさび受け部材２５との接続（取り付け）の様子を説明する。図示実施例の下部くさび部材６８には、下部くさび受け部材２５のくさび受け部に挿入される挿入くさび部７１と、下部くさび受け部材２５の鍔縁部２４を上方から挟む長脚部７２と、挿入くさび部７１と長脚部７２を接続するくさび肩部６９が備えられる。くさび肩部６９の直下には、挿入くさび部７１と長脚部７２をコ字状に離すくさび空間部７９が形成される。くさび空間部７９における挿入くさび部７１と長脚部７２との間隔は、下部くさび受け部材２５の鍔縁部２４の幅に応じて適宜である。
【００４６】
下部くさび部材６８においては、請求項７の発明に規定するように、当該下部くさび部材６８の上部、実施例ではくさび肩部６９に上部抜け止め部７３が設けられる。また、下部くさび部材６８の下部、実施例では長脚部７２の端に下部抜け止め部７４が設けられる。上部抜け止め部７３と下部抜け止め部７４の間の距離は、下側連結部６５内で下部くさび部材６８の上下動、つまり挿入くさび部７１の差し込み及び抜き取りを十分に確保できる長さに設定される。
【００４７】
上部抜け止め部７３は、第１側板部６１と第２側板部６２との間隔を超える突出量に形成されている（図６参照）。そのため、下部くさび部材６８は不用意に下側連結部６５を構成する第１側板部６１と第２側板部６２の間から下方に抜け落ちることがなくなる。さらに、長脚部７２の端の下部抜け止め部７４も第１側板部６１と第２側板部６２との間隔を超える突出量に形成されている。同様に、下部くさび部材６８は不用意に下側連結部６５を構成する第１側板部６１と第２側板部６２の間から上方に抜け落ちることもなくなる（図５参照）。
【００４８】
さらに、下部くさび部材６８には、請求項８の発明に規定するように、くさび保持部７５が備えられる。図示のかぎ状のくさび保持部７５は、挿入くさび部７１を下部くさび受け部材２５のくさび受け部（図示の下部左くさび受け部２６）に挿入しない位置で当該下部くさび部材６８を下側連結部６５のくさび仮置き部６６に保持する際に用いられる。
【００４９】
本発明の棒状部材は主に仮設足場の支柱に架設される。このような高所作業を勘案すると、作業者が、作業現場において必要となる部材をその都度に集めることや別の場所から持ってくること、あるいは作業者が携帯すること等は、煩雑であり作業効率上好ましくない。そのため、必要箇所に予め必要となる部材が装備されていることが便利であり、現場作業の効率化の点から好ましい。
【００５０】
そこで、下部くさび部材に上部抜け止め部及び下部抜け止め部を備えることにより、常時、下部くさび部材の下側連結部内の保持は実現できる。このことから、下部くさび部材を持ち運んだり探したりする手間はなくなり、下部くさび部材の紛失のおそれも少なくなる。また、くさび仮置き部にくさび保持部を引っかけることにより下部くさび部材の仮置きが可能となる。例えば、下部くさび受け部材に下側取付部を取り付けるときの位置合わせにおいて、下部くさび部材が邪魔にならず、双方の接続作業に支障を来すことはない。
【００５１】
下側取付部６０を下部くさび受け部材２５に取り付けるに際し、図７は、棒状部材３０の下側連結部６５の開口部６３内に、下部くさび受け部材２５が差し込まれたときの様子を示す。図示のように、くさび仮置き部６６に下部くさび部材６８のくさび保持部７５が載せられた状態から、いったん、下部くさび部材６８は上方側に持ち上げられる。このとき、下部くさび部材６８の挿入くさび部７１は、挿入先であるくさび受け部（図示の下部左くさび受け部２６）の直上に位置合わせされる。
【００５２】
続く図８では、開口部６３内の所定位置に収容された下部くさび受け部材２５のくさび受け部（図示の下部左くさび受け部２６）に対し、下部くさび部材６８の挿入くさび部７１が押し下げられる。よって、下部左くさび受け部２６内に挿入くさび部７１が挿入される。下部くさび受け部材２５の鍔縁部２４は、挿入くさび部７１、長脚部７２、及びくさび肩部６９の３方向から挟まれる。この結果、下側連結部６５及び下部くさび部材６８を介して下側取付部６０と下部くさび受け部材２５は接続（取り付け）され、第２支柱への棒状部材３０の架設は完了する。
【００５３】
図９及び図１０は第２実施例に係る棒状部材３０Ａの上側取付部５０Ａの主要図である。棒状部材３０Ａの上側取付部５０Ａにおいて、第１支柱１１へ当接する当接部５１Ａの半円周面形状の円弧部分の向き（図１０参照）は、前述の第１実施例の上側取付部５０における当接部５１（図４参照）と逆向きである。第２実施例の当接部５１Ａにあっては、棒状本体４０を下方に引っ張る力が作用する場合、この力を受けて当接部５１Ａは第１支柱側に引き寄せられる。結果的に、当接部５１Ａと第１支柱との密着は強化される。第１実施例の上側取付部あるいは第２実施例の上側取付部のいずれを採用するかは、棒状本体の架設場所、その長さ、重量、用途等が勘案される。
【００５４】
図１１は上側取付部の他の構造を開示する棒状部材の実施例であり、図１１（ａ）は第３実施例、図１１（ｂ）は第４実施例である。第３実施例の棒状部材３０Ｂにおける上側取付部５０Ｂは、当接部５１に直接、棒状本体４０が連結されて上側連結部５５ｓが形成される。第４実施例の棒状部材３０Ｃにおける上側取付部５０Ｃは、当接部５１Ａに直接、棒状本体４０が連結されて上側連結部５５ｔが形成される。棒状本体と当接部は、溶接、ボルト締め等により接続される。あるいは、棒状本体及び当接部を一の部材から形成することも可能である。図示の実施例の場合、上側連結部付近の構造が簡単であることから、棒状部材自体を安価に仕上げることができる。
【００５５】
各図において共通する部材に同一符号を用い、その説明は省略した。なお、発明の趣旨を逸脱しない限り、開示の実施例以外の構成も当然に許容される。
【００５６】
これまでに述べた棒状部材の架設構造によると、棒状部材を仮設足場に架設する際の当該棒状部材の取り付け位置の選択の利便性や自由度は高まり、仮設足場の支柱に無理なく架設することができる。そして、部材の軽量化も可能であり、棒状部材の仮設足場への設置や解体の取り扱い易さを改善できる棒状部材の架設構造が実現できる。従って、仮設足場内の作業者の安全確保に大きく貢献する。棒状部材は斜行材としても手すりとしても都合よく、架設が簡単である。
【符号の説明】
【００５７】
１  仮設階段
３  仮設階段の踏み板
１１  第１支柱
１３  鍔部材
１５  上部くさび受け部材
１６  上部左くさび受け部（くさび受け部）
１７  上部右くさび受け部（くさび受け部）
２１  第２支柱
２３  鍔部材
２５  下部くさび受け部材
２６  下部左くさび受け部（くさび受け部）
２７  下部右くさび受け部（くさび受け部）
３０  棒状部材
４０  棒状本体
５０  上側取付部
５１  当接部
５５  上側連結部
５８  上部くさび部材
６０  下側取付部
６３  開口部
６５  下側連結部
６６  くさび仮置き部
６８  下部くさび部材
７１  挿入くさび部
７２  長脚部
７３  上部抜け止め部
７４  下部抜け止め部
７５  くさび保持部
【図１】
2011122401.tif 000003
【図２】
2011122401.tif 000004
【図３】
2011122401.tif 000005
【図４】
2011122401.tif 000006
【図５】
2011122401.tif 000007
【図６】
2011122401.tif 000008
【図７】
2011122401.tif 000009
【図８】
2011122401.tif 000010
【図９】
2011122401.tif 000011
【図１０】
2011122401.tif 000012
【図１１】
2011122401.tif 000013